(57)【要約】多機能な低揮発性有機成分を含有する水性の硬表面処理組成物は、（１）少なくとも二つの界面活性剤を含む界面活性剤系と、（２）少なくとも一つのアルキレングリコールアルキルエーテルと、アルコールとグリコールとを含んだ少なくとも二つの溶媒と、少なくとも一つの洗浄剤と、キャリアとしての水分とを備えている。少なくとも二つの界面活性剤はアニオン界面活性剤と、ポリマー界面活性剤または非イオン界面活性剤のいずれかを含んでいる。界面活性剤系とアルキレングリコールアルキルエーテルは相乗効果によって、組成物で処理表面にフォギング防止効果、条痕防止効果、クリーニング効果をもたらす。【特許請求の範囲】
【請求項１】
（ａ）少なくとも２つの界面活性剤を含み、前記界面活性剤の少なくとも１つがアニオン界面活性剤であり、少なくとも１つがポリマー界面活性剤または非イオン界面活性剤のいずれかである界面活性剤系、
（ｂ）アルキレン基が最大で６つの炭素原子を含み、アルキル基がＣ１−６の炭素鎖長を有する少なくとも１つのアルキレングリコールアルキルエーテル、
（ｃ）アルコールとグリコールとを含む少なくとも二つの溶媒、
（ｄ）少なくとも１つの洗浄剤、
（ｅ）任意でポリマー湿潤剤の化合物、
（ｆ）任意で１つ以上の補助剤、及び
（ｇ）キャリアとしての水
とを含んだ、硬表面を処理するための多機能性硬表面処理剤組成物であり、
揮発性有機成分が４％未満であり、
前記組成物により処理が行われた前記硬表面は、前記少なくとも一つのアルキレングリコールアルキルエーテルがない場合よりもフォギングが抑制されることを特徴とする多機能性硬表面処理剤組成物。
【請求項２】
キレート剤を含まないことを特徴とする請求項１に記載の多機能性硬表面処理剤組成物。
【請求項３】
前記ポリマー湿潤剤が含まれていることを特徴とする請求項１に記載の多機能性硬表面処理剤組成物。
【請求項４】
前記ポリマー湿潤剤が含まれていることを特徴とする請求項２に記載の多機能性硬表面処理剤組成物。
【請求項５】
前記（ａ）のアニオン界面活性剤が０重量％よりも多くかつ約１重量％以下含まれており、前記（ａ）のポリマー界面活性剤が含まれる場合は０重量％よりも多くかつ約１重量％以下含まれており、前記（ａ）の非イオン界面活性剤が含まれる場合は０重量％よりも多くかつ約１重量％以下含まれており、前記少なくとも１つのアルキレングリコールアルキルエーテルが０重量％よりも多くかつ約２重量％以下含まれており、前記少なくとも２つの溶媒が約０．３重量％以上かつ約４重量％以下含まれており、前記アルコールが約０．２重量％以上かつ約３重量％以下含まれており、前記グリコールが約０．１重量％以上かつ約１重量％未満含まれており、前記洗浄剤の化合物が０重量％よりも多くかつ約０．５重量％以下含まれており、前記ポリマー湿潤剤の化合物が含まれる場合は約０．０５重量％以上かつ約１重量％以下含まれており、前記１つ以上の補助剤が含まれる場合はそれぞれ０重量％よりも多くかつ約０．０５重量％以下含まれており、前記水が残余成分で約１００重量％であることを特徴とする、請求項１に記載の多機能性硬表面処理剤組成物。
【請求項６】
前記（ａ）のアニオン界面活性剤が約０．３重量％以上かつ約０．５重量％以下含まれており、前記（ａ）のポリマー界面活性剤が含まれる場合は約０．４重量％以上かつ約０．５重量％以下含まれており、前記（ａ）の非イオン界面活性剤が含まれる場合は約０．４重量％よりも多くかつ約０．５重量％以下含まれており、前記少なくとも１つのアルキレングリコールアルキルエーテルが０重量％よりも多くかつ約１重量％以下含まれており、前記少なくとも２つの溶媒が約０．４５重量％以上かつ約１．５重量％以下含まれており、前記アルコールが約０．２５重量％以上かつ約１重量％以下含まれており、前記グリコールが約０．２重量％以上かつ約０．５重量％未満含まれており、前記洗浄剤の化合物が０重量％よりも多くかつ約０．３重量％以下含まれており、前記ポリマー湿潤剤の化合物が含まれる場合は約０．１重量％以上かつ約０．４重量％以下含まれており、前記１つ以上の補助剤が含まれる場合はそれぞれ０重量％よりも多くかつ約０．０５重量％以下含まれており、前記水が残余成分で１００重量％含まれていることを特徴とする、請求項１に記載の多機能性硬表面処理剤組成物。
【請求項７】
前記アルコールがＣ１−４の脂肪族アルコールであることを特徴とする請求項１に記載の多機能性硬表面処理剤組成物。
【請求項８】
前記グリコールがアルキレングリコールであることを特徴とする請求項１に記載の多機能性硬表面処理剤組成物。
【請求項９】
前記アニオン界面活性剤が、第２アルカンスルホン酸アルカリ金属塩、アルキルスルホン酸アルカリ金属塩、アルケニルスルホン酸アルカリ金属塩、アルキルアリルスルホン酸アルカリ金属塩、アルキル硫酸アルカリ金属塩、アルケニル硫酸アルカリ金属塩、アルキルアリル硫酸アルカリ金属塩、アルカリ金属Ｃ６−１８アルキルエーテル硫酸塩、α−オレフィンスルホン酸塩のうちで、１つ以上であることを特徴とする請求項１に記載の多機能性硬表面処理剤組成物。
【請求項１０】
前記ポリマー界面活性剤が生分解性ポリマーであることを特徴とする請求項１に記載の多機能性硬表面処理剤組成物。
【請求項１１】
前記非イオン界面活性剤が、アルキルポリグリコシド、アルコールエトキシレート、または酸化アミンのなかの少なくとも１つであることを特徴とする請求項１に記載の多機能性硬表面処理剤組成物。
【請求項１２】
前記グリコールエーテルが、アルキレングリコールまたはポリアルキレングリコールのモノアルキルエーテルまたはジアルキルエーテルのうちの少なくとも一つであることを特徴とする請求項１に記載の多機能性硬表面処理剤組成物。
【請求項１３】
前記洗浄剤が水酸化アンモニウムであることを特徴とする請求項１に記載の多機能性硬表面処理剤組成物。
【請求項１４】
前記ポリマー湿潤剤がアクリルアミドアクリルポリマー、アクリルポリマーの両性水溶液、ビニルピロロリドンの単重合体または共重合体、ビニルイミダゾールの単重合体または共重合体のいずれかであることを特徴とする請求項１に記載の多機能性硬表面処理剤組成物。
【請求項１５】
前記揮発性有機成分が１％未満であることを特徴とする請求項１に記載の多機能性硬表面処理剤組成物。
【請求項１６】
（ａ）約０．２重量％以上かつ約３重量％以下のＣ１−４脂肪族化合物、
（ｂ）０重量％よりも多くかつ約１重量％以下のアニオン界面活性剤、
（ｃ）０重量％よりも多くかつ約１重量％以下のポリマー界面活性剤または非イオンポリマー界面活性剤のいずれか、
（ｄ）０重量％よりも多くかつ約２重量％以下のアルキレングリコールアルキルエーテル、
（ｅ）０重量％よりも多くかつ約０．５重量％以下の洗浄剤の化合物、
（ｆ）約０．１重量％以上かつ１重量％未満のアルキレングリコール、
（ｇ）任意で約０．０５重量％以上かつ約１重量％以下のポリマー湿潤剤の化合物
（ｈ）任意で１つ以上の補助剤、及び、
（ｉ）残余成分で１００重量％の水、
とを含み、揮発性有機成分が４％未満であることを特徴とする多機能性硬表面処理剤組成物。
【請求項１７】
前記Ｃ１−４脂肪族化合物が約０．２５重量％以上かつ約１重量％以下含まれており、前記アニオン界面活性剤が約０．３重量％以上かつ約０．５重量％以下含まれており、前記ポリマー界面活性剤が含まれる場合は約０．４重量％以上かつ約０．５重量％以下含まれており、前記非イオン界面活性剤が含まれる場合は約０．４重量％以上かつ約０．５重量％以下含まれており、前記アルキレングリコールアルキルエーテルが約０．５重量％以上かつ約０．７重量％以下含まれており、前記洗浄剤の化合物が約０．２５重量％以上かつ約０．３５重量％以下含まれており、前記アルキレングリコールが約０．２重量％以上かつ約０．３重量％以下含まれており、前記ポリマー湿潤剤の化合物が含まれる場合は約０．１重量％以上かつ約０．４重量％以下含まれており、前記１つ以上の補助剤が含まれる場合はそれぞれ０重量％よりも多くかつ約０．０５重量％以下含まれており、前記水が残余成分で１００重量％含まれていることを特徴とする、請求項１６に記載の多機能性硬表面処理剤組成物。
【請求項１８】
前記揮発性有機成分が１％未満であることを特徴とする請求項１６に記載の多機能性硬表面処理剤組成物。
【請求項１９】
前記アニオン界面活性剤が、第２アルカンスルホン酸アルカリ金属塩、アルキルスルホン酸アルカリ金属塩、アルケニルスルホン酸アルカリ金属塩、アルキルアリルスルホン酸アルカリ金属塩、アルキル硫酸アルカリ金属塩、アルケニル硫酸アルカリ金属塩、アルキルアリル硫酸アルカリ金属塩、アルカリ金属Ｃ６−１８アルキルエーテル硫酸塩、α−オレフィンスルホン酸塩のうちで、１つ以上であることを特徴とする請求項１６に記載の多機能性硬表面処理剤組成物。
【請求項２０】
前記ポリマー界面活性剤が生分解性ポリマーであることを特徴とする請求項１６に記載の多機能性硬表面処理剤組成物。
【請求項２１】
前記非イオン界面活性剤が、アルキルポリグリコシド、アルコールエトキシレート、または酸化アミンのなかの少なくとも１つであることを特徴とする請求項１６に記載の多機能性硬表面処理剤組成物。
【請求項２２】
前記アルキレングリコールアルキルエーテルが最大で６つの炭素原子を含むアルキレン基を有しており、前記アルキル基がＣ１−６の炭素鎖長を有することを特徴とする請求項１６に記載の多機能性硬表面処理剤組成物。
【請求項２３】
前記洗浄剤が水酸化アンモニウムであることを特徴とする請求項１６に記載の多機能性硬表面処理剤組成物。
【請求項２４】
前記ポリマー湿潤剤の化合物がアクリルアミドアクリルポリマー、アクリルポリマーの両性水溶液、ビニルピロロリドンの単重合体または共重合体、ビニルイミダゾールの単重合体または共重合体のいずれかであることを特徴とする請求項１６に記載の多機能性硬表面処理剤組成物。
【請求項２５】
Ｃ１−４脂肪族アルコールが約０．２重量％以上かつ約３重量％以下含まれており、アニオン界面活性剤が０重量％よりも多くかつ約１重量％以下含まれており、ポリマー界面活性剤または非イオン界面活性剤が０重量％よりも多くかつ約１重量％以下含まれており、アルキレングリコールアルキルエーテルが０重量％よりも多くかつ約２重量％以下含まれており、洗浄剤が０重量％よりも多くかつ約０．５重量％以下含まれており、グリコールの化合物が約０．０１重量％以上かつ１重量％未満含まれており、前記ポリマー湿潤剤の化合物が任意で約０．０５重量％以上かつ約１重量％以下含まれており、前記１つ以上の補助剤が任意で含まれており、前記水が残余成分で１００重量％含まれていることを特徴とする多機能性硬表面処理剤組成物。
【請求項２６】
揮発性有機成分が１％未満であることを特徴とする請求項２５に記載の多機能性硬表面処理剤組成物。
【請求項２７】
前記Ｃ１−４脂肪族アルコールがイソプロピルアルコールであり、前記アニオン界面活性剤は第２アルカンスルホン酸アルカリ金属塩であり、前記ポリマー界面活性剤は生物分解性ポリマー界面活性剤であり、前記アルキレングリコールアルキルエーテルはエチレングリコールｎ−ヘキシルエーテルであり、前記ポリマー湿潤剤の化合物はアクリルアミドアクリルポリマーであり、前記洗浄剤は水酸化アンモニウムであり、前記溶媒はアルキレングリコールであることを特徴とする請求項２５に記載の多機能性硬表面処理剤組成物。
【請求項２８】
前記アニオン界面活性剤が、第２アルカンスルホン酸アルカリ金属塩、アルキルスルホン酸アルカリ金属塩、アルケニルスルホン酸アルカリ金属塩、アルキルアリルスルホン酸アルカリ金属塩、アルキル硫酸アルカリ金属塩、アルケニル硫酸アルカリ金属塩、アルキルアリル硫酸アルカリ金属塩、アルカリ金属Ｃ６−１８アルキルエーテル硫酸塩、α−オレフィンスルホン酸塩のうちで、１つ以上であることを特徴とする請求項２５に記載の多機能性硬表面処理剤組成物。
【請求項２９】
前記ポリマー界面活性剤が生分解性ポリマーであることを特徴とする請求項２５に記載の多機能性硬表面処理剤組成物。
【請求項３０】
前記アルキレングリコールアルキルエーテルが最大で６つの炭素原子を含むアルキレン基を有しており、前記アルキル基がＣ１−６の炭素鎖長を有することを特徴とする請求項２５に記載の多機能性硬表面処理剤組成物。
【請求項３１】
前記洗浄剤が水酸化アンモニウムであることを特徴とする請求項２５に記載の多機能性硬表面処理剤組成物。
【請求項３２】
前記ポリマー湿潤剤の化合物がアクリルアミドアクリルポリマー、アクリルポリマーの両性水溶液、ビニルピロロリドンの単重合体または共重合体、ビニルイミダゾールの単重合体または共重合体のいずれかであることを特徴とする請求項２５に記載の多機能性硬表面処理剤組成物。
【発明の詳細な説明】
【技術分野】
【０００１】
低揮発性有機成分（ＶＯＣ）を含有し、処理表面に対してフォギング防止（ａｎｔｉ−ｆｏｇｇｉｎｇ）効果、クリーニング効果およびワイプアウト（ｗｉｐｅ−ｏｕｔ）効果をもたらす硬表面処理剤組成物（Ｈａｒｄ  ｓｕｒｆａｃｅ  ｔｒｅａｔｉｎｇ  ｃｏｍｐｏｓｉｔｉｏｎ）について述べる。フォギング防止の対策を採ることで、乳白化（ブルーミング（ｂｌｏｏｍｉｎｇ））や曇り（ヘージング（ｈａｚｉｎｇ））の抑制にもなる。後述する硬表面処理剤組成物は、付加化合物とさらに結合することによって強化された界面活性剤系とグリコールエーテル化合物との相乗効果に基づく。
【背景技術】
【０００２】
従来、硬表面洗浄剤組成物において溶媒含有量が高い場合には、高いクリーニング効果、すなわち、通常は手を使って紙や繊維布等で表面を磨くことによる完全なクリーニングと同様に、高いワイプアウト効果をもたらすことができるため、有益であることが知られている。しかしながら、環境保護などを考慮して、揮発性有機成分を低くすることが求められている。揮発性有機成分を低くするために溶媒が洗浄剤から分離されるが、これにより溶媒が存在していたことによって得られた効果が失われてしまう。
【発明の概要】
【発明が解決しようとする課題】
【０００３】
そのため、従来は、一般的に揮発性有機成分を低くすることにより、クリーニング効果が低下することがあった。クリーニング効果の低下により汚れが残り、処理後に表面の質が低下してしまい、その結果、時間の経過に伴いヘージングやブルーミングが生じてしまい、湿度の高い環境下では、浴室内でのシャワーの湯気による鏡や、家や車の窓ガラスのように、フォギングがさらに増加することがあった。
【０００４】
従って、揮発性有機成分の含有量が低く、クリーニング効果、ワイプアウト効果、フォギング防止効果を有する硬表面処理剤組成物が求められている。
【課題を解決するための手段】
【０００５】
本発明の組成物は硬表面を処理するためのものであり、各成分を少量含有して特定の成分構成にすることで多様な効果を得たものである。この組成物は低揮発性有機成分に基づいていることから環境に優しいものであり、キレート剤（例えばモノエタノールアミン）が存在する必要がなく、例えば、一定の期間はレインボー効果（ｒａｉｎｂｏｗ  ｅｆｆｅｃｔ）が発生しないなど、一定の期間のフォギング防止効果や、クリーニング効果、ワイプアウト効果、ブルーミング（ヘージング）抑制効果といった様々な特性を有するものである。従来の硬表面処理剤組成物に比べると、溶媒の含有量は極めて少ないにもかかわらず、クリーニング効果などが低下することが一切なく（むしろクリーニング効果が向上し）、かつ、組成物はさらにフォギング防止効果やワイプアウト効果が向上している。低揮発性有機成分は４％未満であり、好ましくは３％未満である。
【０００６】
第１の非限定例である実施例において、本発明は硬表面処理用水性組成物に関連している。前記組成物は二つ以上の界面活性剤を含み、かつ、一つ以上のグリコールエーテルと組み合わせた界面活性剤系を備えている。グリコールエーテルは好ましくはアルキレングリコールアルキルエーテルである。界面活性剤系は、アニオン界面活性剤と、ポリマー界面活性剤または非イオン界面活性剤のいずれかを含んでいる。ポリマー界面活性剤は好ましく用いられる。その理由は、組成物に少量のグリーコールエーテルを含有させて組成物のフォギング防止効果やクリーニング効果が向上するためである。
【０００７】
第１の非限定例である実施例の前記組成物は、低揮発性有機成分を含有して組成物が処理する表面のクリーニングを始める前に、前記表面から組成物が引火することを防ぐために、少量の一つ以上の溶媒をさらに含んでいる。前記溶媒はクリーニングやワイプを補助するクリーニング組成物において用いるものとして公知の従来の溶媒や、アルキレングリコールのように保湿剤（ｈｕｍｅｃｔａｎｔ）としても溶媒としても機能できるものを組み合わせたものであっても良い。
【０００８】
第１の非限定例である実施例の組成物に含まれる成分として、さらに、洗浄剤成分がある。この洗浄剤成分は、洗浄機能を有しているのに加え、組成物のｐＨを調整する機能を有していても良い。さらに組成物の各成分の働きを向上させるため、ポリマー湿潤剤が必要に応じて含まれている。これにより、組成物によって処理表面が親水性になる。
【０００９】
溶媒、洗浄剤、それから必要であればポリマー湿潤剤が存在することで、界面活性剤系とグリコールエーテルのフォギング防止効果やクリーニング効果が向上する。
【００１０】
本発明に関する硬表面処理用組成物の第２の非限定例である実施例は、（１）０重量％よりも多くかつ約１重量％以下のアニオン界面活性剤と、０重量％よりも多くかつ約１重量％以下のポリマー界面活性剤または０重量％よりも多くかつ約１重量％以下の非イオン界面活性剤のいずれかとを含む界面活性剤系と、（２）０重量％よりも多くかつ約２重量％以下の少なくとも１つのアルキレングリコールアルキルエーテルと、（３）０重量％よりも多くかつ約０．５重量％以下の洗浄剤と、（４）約０．２重量％以上かつ約３重量％以下の少なくとも１つの溶媒と、（５）約０．１重量％以上かつ約１重量％未満の少なくとも１つの溶媒／保湿剤と、（６）任意で約０．０５重量％以上かつ約１重量％以下のポリマー湿潤剤と、（７）キャリアとしてかつ希釈剤として残余成分である水分を含んでいる。
【発明の効果】
【００１１】
本明細書に記載の組成物は、キレート剤を含まないことが好ましい。前記組成物に対してこの限定を行うことにより、製剤が環境面に与える影響を弱めたり（すなわち、「環境に配慮」した特徴（“ｇｒｅｅｎｅｒ”  ｐｒｏｆｉｌｅ））、この製剤の複雑化が回避できるとともに、製剤のコスト削減、さらに条痕（ストリーク）防止（ａｎｔｉ−ｓｔｒｅａｋｉｎｇ）効果やクリーニング効果の維持、さらに全体的な品質を一定以上に維持するといった効果が得られる。
【００１２】
本明細書に記載された組成物の硬表面への使用は、数日間にわたり表面のフォギング防止効果をもたらす。この効果は、汚れを除去する効果が強化されたことによる、クリーニング効果の改善を示す。本発明の組成物は、湿度駆動（ｈｕｍｉｄｉｔｙ  ｄｒｉｖｅｎ）され、これによりクリーニング効果やワイプアウト効果とならんでフォギング防止効果をもたらすものである。一般的に湿度が高くなると、組成物の低揮発性有機成分は、クリーニング効果への影響と同様に湿潤（ｗｅｔｔｉｎｇ）への影響も有する。しかしながら、本発明の低揮発性有機成分は、湿潤やクリーニング効果に対してマイナスの影響を及ぼすものではない。本発明の組成物の効果は、各要素が個々持っている効果を合わせたものよりも、総合的に大きくなる。各成分はそれぞれ独自の効果をもたらすが、これらの成分を組み合わせることにより、その効果が驚くほど増大し、その結果、本発明の組成物は、従来のガラスや硬表面をクリーニングする組成物を凌ぐものとなる。
【００１３】
本発明の具体的な非限定例である実施例の詳細な記述は、以下の図面を参照することにより、さらによく理解されるようになる。
【図面の簡単な説明】
【００１４】
【図１】本発明の組成物（Ａ）と、グリコールエーテル成分を含まないこと以外は（Ａ）と同一の成分を含む比較用組成物（Ｂ）と、ウィスコンシン州，ラシーンのエス．シー．ジョンソン  アンド  サン，インコーポレイテッドの、ウィンデックス（ＷＩＮＤＥＸ（登録商標））―オリジナル製法（Ｏｒｉｇｉｎａｌ  ｆｏｒｍｕｌａ）という商品名で市販されている比較用組成物（Ｃ）とについて、時間の経過に伴うブルーミング平均に関するブルーミング（ヘージング）試験の結果を示すグラフである。
【図２】組成物（Ａ）、（Ｂ）、（Ｃ）の条痕形成率の比較結果を示すグラフであり、組成物（Ａ）および（Ｃ）はほぼ同様の条痕形成率であるが、組成物（Ｂ）では条痕形成率がより高い。
【発明を実施するための形態】
【００１５】
定義
【００１６】
本明細書で「組成物（ｃｏｍｐｏｓｉｔｉｏｎ）」とは、複数の化学成分を含んだあらゆる液体物質のことをいう。
【００１７】
本明細書で「香料（ｆｒａｇｒａｎｃｅ）」とは、香水、消臭剤（ｏｄｏｒ−ｅｌｉｍｉｎａｔｏｒ）、臭気マスキング剤（ｏｄｏｒ  ｍａｓｋｉｎｇ  ａｇｅｎｔ）といったものの全てとそれらを組合せたものをいう。いくつかの実施例では、香料は顧客や使用者の嗅覚に効果がある物質の全てである。
【００１８】
本明細書で「重量％」とは、全体の調合における実際の活性成分の重量百分率である。例えば、化学式Ｘの汎用組成物は、７０重量％の活性原料Ｘを含むものとする。このとき、汎用組成物１０ｇは、Ｘを７ｇだけ含んでいる。もし、汎用組成物１０ｇが他の活性原料９０ｇに加えられれば、最終的な調合を終えたあとのＸの重量百分率は、それゆえに７％となる。
【００１９】
本明細書で「硬表面」は多孔質表面かつ／または非多孔質表面の全てである。１つの実施例では、硬表面はセラミック、ガラス、金属、ポリマー、石、及びこれらを組み合わせたものからなるグループから選ばれてもよい。別の実施例では、硬表面はシリコンウエハかつ／または他の半導体材料を含むものではない。セラミック表面の非限定例は、便器、流し台、シャワー、タイルなど、およびこれらを組み合わせたものである。ガラス表面の非限定例は、窓、鏡などである。金属表面の非限定例は、排水管、流し台、自動車や、これらを組合せたものである。ポリマー表面の非限定例は、ＰＶＣパイプ、繊維ガラス、アクリル、コーリアン（Ｃｏｒｉａｎ（登録商標））など、およびこれらを組み合わせたものである。石材硬表面の非限定例は、花崗岩、大理石などである。
【００２０】
硬表面はいかなる形態、サイズであってもよく、所望の目的に合った全ての配向性を有するものであっても良い。１つの非限定例において、硬表面は垂直配向になっている窓であってもよい。他の非限定例では、硬表面はセラミック製の便器のように曲面であってもよい。さらにまた他の非限定例では、硬表面は垂直及び水平の部分を有するパイプの内部や、あるいはまたカーブした部分を有するものであっても良い。硬表面の形、サイズかつ／または配向性は本発明の組成物には影響を及ぼさないものと考えられる。
【００２１】
本明細書で「界面活性剤」とは、例えば水といった液体の表面張力を低下させる全ての化学物質であってもよい。本発明で用いるのに適した界面活性剤には、例えば以下のようなものがある。ある実施例では、界面活性剤はアニオン界面活性剤、非イオン界面活性剤、カチオン界面活性剤、両性界面活性剤、両性イオン界面活性剤、およびこれらを組み合わせたものからなるグループから選ばれても良い。他の非限定的な実施例において、界面活性剤は超湿潤剤であってもよい。
【００２２】
組成物
【００２３】
本発明の組成物は表面処理用の水性組成物であり、特にガラス表面に対して有効である。組成物は低揮発性有機成分を含んでおり、残留物はわずかしか含まない。組成物は、相乗効果を有する成分を特別に組み合わせたものに基づく。この組成物はフォギング防止効果やワイプアウト効果のような効果をもたらす多機能性のものであり、クリーニング効果の向上やブルーミング（ヘージング）を減らすことにも関係する。
【００２４】
第１の非限定的な実施例において、本発明の硬表面処理剤組成物は、（ａ）二つ以上の界面活性剤を含む界面活性剤系と、（ｂ）グリコールエーテル、（ｃ）洗浄剤、（ｄ）１つ以上の溶媒、（ｅ）アルキレングリコール、（ｆ）任意のポリマー湿潤剤と、（ｇ）水とを含んでいる。
【００２５】
第２の非限定的な実施例において、本発明の硬表面処理剤組成物は、（ａ）（ｉ）アニオン表面活性剤と（ｉｉ）ポリマー表面活性剤または非イオン界面活性剤を含む界面活性剤系と、（ｂ）アルキレングリコールアルキルエーテルと、（ｃ）組成物のｐＨを調整する効果も有する洗浄剤と、（ｄ）アルコールを含む溶媒成分と、（ｅ）アルキレングリコールと、（ｆ）任意のポリマー湿潤剤と、（ｇ）水とを含んでいる。
【００２６】
界面活性剤系とグリコールエーテルは、組成物で処理された表面に対するフォギング防止効果を相乗効果により向上させるものである。グリコールエーテルが組成物に含まれていなければ、フォギング防止効果の減少が著しい。これはすなわちクリーニング効果の減少を意味するものである。
【００２７】
組成物の界面活性剤系は、アニオン界面活性剤と、ポリマー界面活性剤と非イオン界面活性剤の少なくとも１つとを含んでいる。ポリマー界面活性剤はイオンの性質によって制限されるものではない。ポリマー界面活性剤はグリコールエーテルが少量存在しているときにアニオン界面活性剤の効果を向上させるため、非イオン界面活性剤よりも好まれる。
【００２８】
アニオン界面活性剤は、０重量％よりも多く約１重量％の範囲で使用され、好ましくは約０．３重量％以上かつ約０．５重量％以下の範囲で、さらに好ましくは約０．４重量％で使用される。使用するのに適したアニオン界面活性剤は、例えば、第２アルカンスルホン酸（パラフィンスルホン酸）のアルカリ金属塩である。好ましい第２アルカンスルホン酸塩は、アルカリ金属Ｃ１４−１７  ｓｅｃ−アルキルスルホン酸であり、その化学式はＣＨ３（ＣＨ２）ｍＣＨ（Ｓ０３”Ｎａ＋）（ＣＨ２）ｎ−ＣＨ３であり、ここで、ｍ＋ｎ＝１０〜１４であり、たとえばドイツのＣｌａｒｉａｎｔ  ＧｍｂＨ社よりＨＯＳＴＡＰＵＲ  ＳＡＳ  ３０の商標名で販売されているものがある。使用に適する他のアニオン界面活性剤は、アルキルスルホン酸塩（ａｌｋｙｌ  ｓｕｌｐｈｏｎａｔｅｓ）やアルキル硫酸塩（ａｌｋｙｌ  ｓｕｌｆａｔｅｓ）のアルカリ金属塩と、アルケニルスルホン酸塩（ａｌｋｅｎｙｌ  ｓｕｌｆａｔｅｓ）やアルケニル硫酸塩（ａｌｋｅｎｙｌ  ｓｕｌｆａｔｅｓ）のアルカリ金属塩と、アルキルアリルスルホン酸塩（ａｌｋｙｌａｒｙｌ  ｓｕｌｐｈｏｎａｔｅｓ）やアルキルアリル硫酸塩（ａｌｋｙｌａｒｙｌ  ｓｕｌｆａｔｅｓ）のアルカリ金属塩、アルカリ金属Ｃ６−１８アルキルエーテル硫酸塩（ａｌｋａｌｉ  ｍｅｔａｌ  Ｃ６−１８  ａｌｋｙｌ  ｅｔｈｅｒ  ｓｕｌｆａｔｅｓ）、例えば、ラウリルエーテル硫酸ナトリウム（ｓｏｄｉｕｍ  ｌａｕｒｙｌ  ｅｔｈｅｒ  ｓｕｌｆａｔｅ）やα−オレフィンスルホン酸塩（α−ｏｌｅｆｉｎ  ｓｕｌｆｏｎａｔｅｓ）などを含んでいる。こうしたいくつかのアニオン界面活性剤は、一般式がＲＳＯ４ＭまたはＲＳＯ３Ｍであり、Ｒが炭素原子数約８〜約２０のアルキル基またはアルケニル基、あるいは、アルキルアリル基であってもよく、そのアルキル基部分は炭素原子数が約９から約１５の直鎖アルキル基であっても分枝アルキル基であってもよく、そのアリル基部分はフェニル基またはその誘導体であってもよく、Ｍはアルカリ金属（たとえば、アンモニウム、ナトリウム、カリウム、あるいはリチウム）であってもよい。
【００２９】
ポリマー界面活性剤は、０重量％よりも多く、約１重量％以下含まれている。ポリマー界面活性剤は、アニオン界面活性剤の働きを向上させる効果があり、ごく少量のグリーコールエーテルと一緒に用いると、良い効果が得られる。好ましいポリマー界面活性剤は、ＶＩＤＥＴ  ＥＧＭという商標名で米国のＶｉｔｅｃｈ  Ｉｎｔｅｒｎａｔｉｏｎａｌ社より販売されたもので、生分解性のポリマー界面活性剤系である。本発明の組成物で使用に適するポリマー界面活性剤は、特殊なイオン性のものに制限されるものではない。少量の溶媒による組成物の低揮発性有機成分の含有により、ポリマー界面活性剤を用いると、揮発性有機溶媒を除去することで失われた組成物の洗浄効果が取り戻される。洗浄効果が取り戻される理由は、組成物が早く蒸発しないからである。
【００３０】
非イオン界面活性剤は、０重量％よりも多く、約１重量％以下含まれており、好ましくは、約０．４重量％以上かつ約０．６以下重量％であり、さらに好ましくは約０．５重量％である。非イオン界面活性剤は、硬表面洗浄組成物において用いられる公知の非イオン界面活性剤の全てである。好ましい非イオン界面活性剤は、アルキルポリグリコシドである。使用に適するアルキルポリグリコシドは、化学式がＲＯ−（Ｒ’Ｏ）ｘ−Ｚｎである。Ｒは炭素原子数が８から２０の一価アルキルラジカルであり（アルキル基は直鎖や分枝、飽和や不飽和を問わない）、Ｏは酸素原子、Ｒ’は炭素原子数が２から４の二価アルキルラジカルであり、好ましくはエチレンまたはプロピレンである。ｘは平均値が０以上１２以下の数であり、Ｚは炭素原子数が５または６の還元性多糖部分であり、好ましくはグルコース残基、ガラクトース残基、グルコシル残基、またはガラクトシル残基である。また、ｎは平均値が１から１０の数である。様々なアルキルグリコシドの詳細な説明については、米国法定発明登録（Ｕ．Ｓ．  Ｓｔａｔｕｔｏｒｙ  Ｉｎｖｅｎｔｉｏｎ  Ｒｅｇｉｓｔｒａｔｉｏｎ）Ｈ４６８及び米国特許Ｎｏ．４，５６５，６４７に開示されており、これらの記載は参照により本明細書に組み込まれるものとする。アルキルグリコシドのいくつかの例は、ＧＬＵＣＯＰＯＮという名称で販売されており、以下のものがある（Ｚはグルコース残基であり、Ｘ＝０）。
【００３１】
【表１】
2013508505.tif 000002
【００３２】
使用に適した非イオン界面活性剤の他の非限定例は、（ＯＣ２Ｈ４）で濃縮された第２アルカノールを含むアルコールエトキシレートを含有している。酸化アミンもまた使用に適している。
【００３３】
界面活性剤系と相乗作用効果を有するグリコールエーテル成分は、好ましくはアルキレングリコールアルキルエーテルである。アルキレンは好ましくはエチレンまたはプロピレンであり、アルキル基は好ましくは、Ｃ１−Ｃ６の炭素鎖である。使用に適する他のグリコールエーテルは、グリコール基一つに六つまでの炭素原子を有し、各アルキル基に六つまでの炭素原子を有する、アルキレングリコールまたはポリアルキレングリコールのモノアルキルエーテルまたはジアルキルエーテルを含んでいる。使用に好ましい例としては、ヘキシルセルソルブという名称でも知られているエチレングリコールｎ−ヘキシルエーテルがある。他の例としては、プロピレングリコールｎ−ブチルエーテル、ジプロピレングリコールｎ−ブチルエーテル、プロピレングリコールｎ−プロピレン、ジプロピレングリコールｎ−プロピルエーテル、ジエチレングリコールｎ−ブチルエーテル、ジエチレングリコールメチルエーテル、ジプロピレングリコールメチルエーテル、などがある。
【００３４】
グリコールエーテルは０重量％よりも多く、約２重量％以下含まれている。グリコールエーテルは１重量％未満含まれているのが好ましい。グリコールエーテルの含有量の好ましい範囲は、約０．５重量％以上かつ約０．７重量％以下である。グリコールエーテルは良好なワイプアウト効果を組成物に与える効果を有している。
【００３５】
洗浄剤は０重量％よりも多く、約０．５重量％以下含まれており、さらに好ましい含有量は約０．３重量％である。洗浄剤は組成物による洗浄効果を高めるもので、組成物のｐＨ調整に適した成分であることが好ましい。組成物のｐＨ調整をする好ましい洗浄剤としては、水酸化アンモニウムがある。硬表面洗浄組成物として用いられる公知の洗浄剤は、組成物の他の成分との相溶性がある（ｃｏｍｐａｔｉｂｌｅ）ものであれば、いずれも組成物での使用に適している。
【００３６】
一つ以上の溶媒がグリコールエーテル成分に添加されて存在している。溶媒成分は、低揮発性有機成分を組成物内で維持する程度に少量が含まれており、他の成分の特性を向上させることにより組成物の効果を高める働きがある。さらに、溶媒の量が大きすぎる場合には、表面処理組成物は組成物が表面の洗浄を始める前に表面のゴミを洗い流す。溶媒成分の含有量は、好ましくは約０．２重量％から約３重量％である。さらに好ましくは、約０．２５重量％から約１重量％である。適した溶媒はＣ１−Ｃ４脂肪族アルコールを含んでおり、好ましくはイソプロピルアルコール、エタノール、ブタノールを含んでいる。
【００３７】
組成物のグリコール成分は、好ましくは６つまでの炭素原子を有するアルキレングリコールである。グリコールがプロピレングリコールまたはエチレングリコールであることが最も好ましい。グリコールにより、溶媒、洗剤、湿潤剤としての作用に多様な機能が与えられる。グリコールの含有量は、約０．１重量％以上かつ１重量％以下であり、好ましくは約０．２重量％以上かつ０．５重量％以下であり、さらに好ましくは約０．２重量％以上かつ０．３重量％以下である。
【００３８】
組成物のポリマー湿潤剤は、親水性を有するように処理された硬表面を形成するように作用し、これにより処理表面上における組成物の作用を向上させ、とりわけ他の成分によってもたらされるフォギング防止効果やクリーニング効果を向上させる。好ましいポリマー湿潤剤は、Ｒｈｏｄｉａ  Ｃｈｉｍｉｅ社よりＭＩＲＡＰＯＬ  ＳＵＲＦという商標名で販売されており、米国特許Ｎｏ．６，５９３，２８８、Ｎｏ．６，７６７，４１０、Ｎｏ．６，７０３，３５８、Ｎｏ．６，５６９，２６１、および、米国特許公開公報Ｎｏ．２００６／０２１７２８６Ａ１に記載されている。これらの文献において記載されているように、好ましいポリマーはアニオン電荷を形成する酸性のモノマーを含んでおり、かつ、恒久的なカチオン電荷を伴うか、あるいは、プロトン化によりカチオン電荷を形成するモノマーを含んでいる。好ましいＭＩＲＡＰＯＬ  ＳＵＲＦポリマーは、アクリルアミドアクリルポリマーであるＭＩＲＡＰＯＬ  ＳＵＲＦ  Ｓ−２１０である。ポリマー湿潤剤の他の例は、アクリルポリマー（ＣＡＳ  Ｎｏ．１９２００３−７４−０）の両性水溶液である、Ｃｏｇｉｎｓより販売されているＰＯＬＹＱＵＡＲＴ  ＡＭＰＨＯ  １４９であり、例えば、ビニルピロリドン、ビニルイミダゾール、非イオンモノマーとともに水溶性の単重合体または共重合体を含む、ドイツのＢＡＳＥ  ＡＧ社より販売されているＳＯＫＡＬＡＮ  ＨＰ−７０である。全体的な成分の作用を向上させる上で、ポリマー湿潤剤は、組成物に必要に応じて含有され、含有される場合は、ポリマー湿潤剤成分の含有率は約０．０５重量％以上かつ１重量％以下である。また、含有量が約０．４重量％のときに最も好ましい効果があるが、これよりも低い０．１重量％であってもよい効果を得ることができる。ポリマー湿潤剤の含有量はそれゆえに、通常は約０．１重量％という低い値とすることにより、組成物のコストを抑えている。
【００３９】
組成物は、香料、染料／着色剤、保存料等のひとつ以上の様々な補助剤を少量含んでいても良い。このような補助剤の含有量は、０重量％よりも多くかつ０．０５重量％以下である。
【００４０】
組成物にはその各成分を除いた残り（ｂａｌａｎｃｅ）が１００重量％となる水が含まれている。水は軟水でも良く、脱イオン化水でも良く、逆浸透性水といったものであっても良い。軟水が好ましい。
【００４１】
本発明の硬表面処理組成物は、好ましくは以下のような成分構成（ｆｏｒｍｕｌａ）になっている。
【００４２】
【表２】
2013508505.tif 000003
本発明の硬表面処理組成物のさらに好ましい成分構成は、以下のようになっている。
【００４３】
【表３】
2013508505.tif 000004
本発明の硬表面処理組成物の最も好ましい成分構成は、以下のようになっている。
【００４４】
【表４】
2013508505.tif 000005
【００４５】
【表５】
2013508505.tif 000006
【００４６】
本発明の硬表面処理剤組成物を用いた場合、ガラスや鏡といったものの表面を組成物を用いた処理によって洗浄すると、何日もフォギングすることがない。この効果は、組成物によるさらなる汚れの除去、すなわち、洗浄作用の向上を示すものである。フォギング防止特性は、組成物で表面を処理したあとに組成物と関係するブルーミングによって示される。処理した表面上でレインボー効果が認められるようなことは、一定の期間はない。本発明の組成物のフォギング防止効果を、グリコールエーテルと界面活性剤系を組み合わせたときの相乗性とともに示すために、ブルーミング（ヘージング）比較試験を、上記表３に示した成分構成の組成物（これをＡとする）と、ヘキシルセロソルブ（エチレングリコールｎ−ヘキシルエーテル）が存在しないこと以外は表３と同一の成分構成の組成物（これをＢとする）と、ウィスコンシン州，ラシーンのエス．シー．ジョンソン  アンド  サン，インコーポレイテッドの、ウィンデックス（ＷＩＮＤＥＸ（登録商標））−オリジナル製法（Ｏｒｉｇｉｎａｌ  Ｆｏｒｍｕｌａ）という商品名で販売されているガラスクリーナー（これをＣとする）とを用いて行った。このブルーミング試験の結果を、経過日数（０から８９）に応じたブルーミング平均に基づき、図１のグラフに図示している。ブルーミング試験の結果によれば、発明の組成物Ａは湿度駆動（ｈｕｍｉｄｉｔｙ  ｄｒｉｖｅｎ）され、良好なフォギング防止効果が得られ、さらに同様に、ワイプアウト効果及びクリーニング効果が得られた。
【００４７】
さらに特徴的なことは、図１において、Ｂの成分構成の場合では、２１日目から２５日目の間に湿度の増加（例えばシャワーから湯気が生じているときの浴室内に置いたような場合）により、ブルーミングが減少することがわかる。一方、Ａの成分構成の場合では、性能の顕著な改善の低下を示すことはなく、湿度駆動されるものであった。
【００４８】
さらに、条痕形成率（ｓｔｒｅａｋ  ｒａｔｅ）、すなわちワイプアウト効果の度合いに関して、図２を参照して上述したように、比較試験は、前記三つの成分構成Ａ，Ｂ，Ｃの組成物を用いて行った。条痕形成率は０から５までの値で表記され、０は条痕がまったく形成されなかった状態を示し、５は全体に条痕が形成された状態を示す。図２に示されるように、成分構成Ａは、市販の成分構成Ｃに匹敵する。グリコールエーテルを含んでいない成分構成Ｂは、大量の条痕が形成された。
【００４９】
本発明の組成物の多様な効果をさらに導き出すために、本発明の二つの組成物について比較試験が行われた。その組成物とは、一つは発明Ａとされ、上記表４の成分構成によるものであり、もう一つは発明Ｂとされ、上記表３の成分構成によるものである。また、この比較試験では、以下に記載の様々な市販のガラスクリーニング製品を用いて行った。他の製品には、同一のまたは類似の成分が含まれているものもあるが、本発明の組成物は、クリーニング効果、条痕防止効果、フォギング防止効果の向上（つまりブルーミングやヘージングの抑制）を、低揮発性有機成分の含有状況下でもたらすものである。上記の組成物について行われた製品試験は、以下に記された組成物と同一であった。
【００５０】
【表６】
2013508505.tif 000007
【００５１】
【表７】
2013508505.tif 000008
【００５２】
【表８】
2013508505.tif 000009
【００５３】
【表９】
2013508505.tif 000010
【００５４】
【表１０】
2013508505.tif 000011
【００５５】
【表１１】
2013508505.tif 000012
【００５６】
【表１２】
2013508505.tif 000013
【００５７】
【表１３】
2013508505.tif 000014
【００５８】
【表１４】
2013508505.tif 000015
【００５９】
上記製品および本発明の組成物に用いられた試験手順は同一のものであり、”条痕試験手順（Ｓｔｒｅａｋ  Ｔｅｓｔ  Ｐｒｏｔｏｃｏｌ）”および”屋内汚れ試験手順（Ｉｎｔｅｒｉｏｒ  Ｓｏｉｌ  Ｔｅｓｔ  Ｐｒｏｔｏｃｏｌ）”というタイトルで以下に説明される。試験の結果は表５に示している。
【００６０】
条痕試験（Ｓｔｒｅａｋ  Ｔｅｓｔ）
ガラスクリーナーは窓の掃除に最も頻繁に用いられる。窓はまた、その表面で条痕が最も頻繁に見られる。ゆえに、この試験ではガラス上でのガラスクリーナーの成分構成による条痕形成能力を比較する。
【００６１】
窓上の条痕は反対側から光が当てられるとすぐに見つけることができるだけでなく、反対側を暗くしても見つけることができる。こういった状況は一日の中で太陽の高度が低くなり、直接ガラスに日の光があたる日の出直後と日没直前に起こる。条痕試験では光源を用いて透明窓ガラス（ｇｌａｓｓ  ｐａｎｅ）に背後から光をあて、窓ガラスを黒い面に向けることで、この状況が作り出される。
【００６２】
１２”×１２”×１／８”の強度品質が２倍（ｄｏｕｂｌｅ  ｓｔｒｅｎｇｔｈ  ｑｕａｌｉｔｙ）であるスワイプされた端部（ｓｗｉｐｅｄ  ｅｄｇｅｓ）を備える透明フロート窓ガラスであってＱ１品質（ＡＳＴＭ  Ｃ１０３６。フラットガラスの基本仕様）のものが使用された。この１２”×１２”×１／８”の少なくとも一つのガラス板を目の高さに保つための観覧スタンドが用いられた。使用される光照射装置は、ＥＴＣセンサ・ライティング・コントロール・システム、ＳＲ−１２モデル（ＥＴＣ  Ｓｅｎｓｏｒ  Ｌｉｇｈｔｉｎｇ  ｃｏｎｔｒｏｌ  ｓｙｓｔｅｍ，ｍｏｄｅｌ  ＳＲ−１２）と、ＥＴＣアクレイム１００シリーズ、２４チャネル・ライト・ボード、１２４モデル（ＥＴＣ  Ａｃｃｌａｉｍ  １００  ｓｅｒｉｅｓ，２４  ｃｈａｎｎｅｌ  ｌｉｇｈｔ  ｂｏａｒｄ，Ｍｏｄｅｌ  １２４）と、ＥＴＣソース・フォー・エリプソイダル・スポットライト４３６モデル（ＥＴＣ  Ｓｏｕｒｃｅ  Ｆｏｕｒ  Ｅｌｌｉｐｓｏｉｄａｌ  Ｓｐｏｔｌｉｇｈｔ    Ｍｏｄｅｌ  ４３６）と、ＨＰＬ５７５ハロゲン・ランプ（ＨＰＬ  ５７５  Ｈａｌｏｇｅｎ  Ｌａｍｐ）である。このＥＴＣソース・フォー・ライト（ＥＴＣ  Ｓｏｕｒｃｅ  Ｆｏｕｒ  Ｌｉｇｈｔｓ）は、照明用ポール（Ｌｉｇｈｔｉｎｇ  ｐｏｌｅ）に設置した。ガラス板観察用スタンドは、照明用ポールの正面３６インチ前に設置した。ガラス板を保持する観察用スタンドの領域に光を照射した。光の入射角は２５°から３０°であった。光が観察用スタンド上で焦点を結ぶと、鮮明な画像が得られた。ガラス板は観察用スタンドの中に置いたまま、周りの光を全て消し、露出計を使って光度（ｌｉｇｈｔ  ｉｎｔｅｎｓｉｔｙ）を測定した。露出計はガラス板の面に対して平行に置き、最小値の１  １／２秒間かけてガラス板に反射する光の強度（ｉｎｔｅｎｓｉｔｙ）を測定した。全ての光について、その光度が９００から１１００ｆｃｄ（ｆｏｏｔ  ｃａｎｄｌｅｓ）の間になるように調節が行われた。
【００６３】
試験を行う表面の条件を同一にするために、全てのガラス板はウィンデックス（ＷＩＮＤＥＸ（登録商標））−オリジナル製法（Ｏｒｉｇｉｎａｌ  Ｆｏｒｍｕｌａ）のガラスクリーナーの１０％溶液を用いて拭いた。全てのガラス板を準備してそこに製品を一様につけたあと、その製品をふき取ってガラス板を評価した。クリーニングされたガラス板を観察用スタンドにセットしてテンプレート（ｔｅｍｐｌａｔｅ）の後ろに設置した。周囲のライトを消し、光源のスイッチを入れた。ホルダ（ｈｏｌｄｅｒ）内のガラス板を照明付きのブラックボックス内に置き、写真を撮影した。ブルーミング試験において、ブラックボックス評価を毎週行った。試験は、ブラックボックス評価（ｂｌａｃｋ  ｂｏｘ  ｅｖａｌｕａｔｉｏｎ）と最終視覚評価（ｆｉｎａｌ  ｖｉｓｕａｌ  ｅｖａｌｕａｔｉｏｎ）によるもので、一週間に四回行われた。上述したように、このテストの結果は下記の表５に示している。
【００６４】
屋内汚れ試験（Ｉｎｔｅｒｉｏｒ  Ｓｏｉｌ  Ｔｅｓｔ）
ガラスクリーナーは窓の掃除に最も頻繁に用いられる。窓はまた、その表面で指紋跡が最も頻繁に見つかるところである。ゆえに、この試験ではガラス上でのガラスクリーナーの成分構成によるクリーニング能力を比較する。
【００６５】
窓上の指紋は反対側から汚れ（ｓｏｉｌ）に光が当てられるとすぐに見つけることができるだけでなく、反対側を暗くしても見つけることができる。こういった状況は一日の中で太陽の高度が低くなり、直接ガラスに日の光があたる日の出直後と日没直前に起こる。指紋試験では、光源を用いて透明窓ガラス（ｇｌａｓｓ  ｐａｎｅ）に背後から光をあて、窓ガラスを黒い面に向けることで、この状況が作り出される。
【００６６】
１２”×１２”×１／８”の強度品質が２倍のスワイプされた端部（ｓｗｉｐｅｄ  ｅｄｇｅｓ）を備える透明フロート窓ガラスであって、Ｑ１品質（ＡＳＴＭ  Ｃ１０３６。フラットガラスの基本仕様）のものが使用された。この１２”×１２”×１／８”の少なくとも一つをガラス板を目の高さに保つための観察用スタンドが用いられた。使用される光照射装置は、ＥＴＣセンサ・ライティング・コントロール・システム、ＳＲ−１２モデルと、ＥＴＣアクレイム１００シリーズ、２４チャネル・ライト・ボード、１２４モデルと、ＥＴＣソース・フォー・エリプソイダル・スポットライト４３６モデルと、ＨＰＬ５７５ハロゲン・ランプである。このＥＴＣソース・フォー・ライトは、照明用ポールに設置した。ガラス板観察用スタンドは照明用ポールの正面３６インチ前に設置した。ガラス板を保持する観察用スタンドの領域に光が照射された。光の入射角は２５°から３０°であった。光が観察用スタンド上で焦点を結ぶと、鮮明な画像が得られた。
【００６７】
ガラス板は観察用スタンドの中に置いたまま、周りの光を全て消し、露出計を使って光度を測定した。露出計はガラス板の面と平衡に置かれたあと、最小値で１  １／２秒間かけてガラス板によって反射する光の強度を測定した。全ての光について、その光度が９００から１１００ｆｃｄの間になるように調節が行われた。
【００６８】
試験を行う表面の条件を一様にするために、全てのガラス板はウィンデックス（ＷＩＮＤＥＸ（登録商標））−オリジナル製法（Ｏｒｉｇｉｎａｌ  Ｆｏｒｍｕｌａ）のガラスクリーナーの１０％溶液を用いて拭いた。ガラス板が乾燥した状態で、あるいはほとんど乾燥した状態で行われた。全てのガラス板を準備すると、ガラス板を観察用スタンドにセットして直接背後から光を照射した。
【００６９】
試験に用いられるガラス板に塗られる屋内汚れは、次のような組成になるように調整された。
【表１５】
2013508505.tif 000016
【００７０】
ガラス上に円を描くようにして上記の汚れを一様に塗布したあと、汚れを全て覆うように同一のポンプ付容器に入った各組成物を、二回、完全にトリガーを引いてガラス板上に吹きかけた。テスト製品に対しては２０秒の滞留時間が与えられた。組成物と汚れをふき取ってから、テンプレートを観察用スタンドに設置し、クリーニング済みのガラス板をテンプレートの後ろに設置した。周囲のライトを消し、光源のスイッチを入れた。
【００７１】
ガラス板を評価のために照明つきのブラックボックス内に置いた。ブラックボックス内の光源のスイッチを入れ、光源をウォームアップ（ｗａｒｍ  ｕｐ）させた（１５分間）。ガラス板を撮影し、各側部の平均を記録した。テストの結果を下記の表５に示している。
【００７２】
【表１６】
2013508505.tif 000017
Ｉｎｖｅｎｔｉｏｎ  Ａ＝上記表４に記載の組成物
Ｉｎｖｅｎｔｉｏｎ  Ｂ＝上記表３に記載の組成物
ＩＳ＝屋内汚れ（Ｉｎｔｅｒｉｏｒ  Ｓｏｉｌ）
【００７３】
本発明の組成物は硬表面を処理するためのものであり、各成分を少量含有して特定の成分構成にすることで多様な効果を得たものである。この組成物は低揮発性有機成分に基づいていることから環境にやさしく、例えば一定の期間はレインボー効果が発生しないなど、特定期間のフォギング防止効果や、クリーニング効果、ワイプアウト効果、ブルーミング（ヘージング）抑制効果といった様々な特性を有するものである。従来の硬表面処理剤組成物に比べると、溶媒の含有量は極めて少ないにもかかわらず、クリーニング効果などが低下することが一切なく（むしろクリーニング効果が向上し）、かつ、組成物はさらにフォギング防止効果やワイプアウト効果が向上している。
【００７４】
「特に」「好ましくは」「典型的に」「通常は」「頻繁に」といった言葉は、請求項に記載される発明の範囲を限定するために用いられるものではなく、さらに、ある特徴が請求項に記載された発明の構造や機能に対して必須であったり必要不可欠的であったり、あるいは重要であるということを暗示するために用いられるものでもない。むしろこれらの言葉は特に重要な任意のあるいは付加的な特徴に対して強調されるものであって、これらの特徴は、本発明の具体的な実施例において用いられてもよく、あるいは用いられなくてもよいものである。またさらに、「基本的に」や「約」といった言葉は本来的な不確実度を表現するために本明細書において単に強調されているものに過ぎず、この言葉が量的な比較や値、測定あるいはその他のいかなる表現すべてに帰するものであっても良い。
【００７５】
本明細書で開示された値は、列挙された正確な数値に対し厳格に制限されるものとして理解されるものではない。その代わり、他に限定されない限りにおいて、これらの値はどれも列挙された値や、その値付近の機能的に同等な範囲を意味することが意図されている。たとえば、５０重量％と開示された値は、約５０重量％であることを意味していることが意図されている。
【００７６】
本発明の詳細な説明において引用されたすべての文献は、関連する部分について本明細書の参照として含まれている。すなわちすべての文献からの引用は、本発明に対してそれが従来技術であることを承認するために、本明細書に組み込まれているのではない。本明細書の用語の意味や定義が、参照によって取り入れられた文献における用語の意味や定義と一致しない限りにおいては、本明細書の意味や用語で解釈されなければならない。
【００７７】
本明細書で開示された実施例は、完全にあるいは本発明の範囲を不必要に狭くすることを意図するものではない。これらの実施例は本技術分野において熟達していれば本発明を実施できるように、本発明の原理を説明するために選択されて記載されたものである。本技術分野の当業者に明らかであるように、上記の内容に関しては様々な変更が可能である。本技術分野の当業者の可能性の範囲内であるこれらの変更は、本発明の一部を占めるものである。
【図１】
2013508505.tif 000018
【図２】
2013508505.tif 000019
【国際調査報告】
2013508505.tif 000020
2013508505.tif 000021
2013508505.tif 000022